(57)【要約】【課題】時報放送を受信しないときも時刻を修正する。【解決手段】データ記録再生装置による時刻の修正処理は、ハードディスク装置がスタンバイ状態であり（Ｓ３０６にてＹＥＳ）、タイマ予約がない場合に（Ｓ３１０にてＮＯ）、受信チャネルをＮＨＫ（Ｒ）の教育放送に設定するステップ（Ｓ３１２）と、計時回路から時刻を取得するステップ（Ｓ３１６）と、１２時の時報を検出しない場合に（Ｓ３１８にてＮＯ）、計時回路の時刻が１２時２分を経過しているとき（Ｓ３３０にてＹＥＳ）、ハードディスクから誤差のデータを読み出すステップ（Ｓ３３２）と、そのデータに基づいて計時回路の時刻を修正するステップ（Ｓ３３４）とを含む。【選択図】        図３
2005043145.tif 000002
【特許請求の範囲】
【請求項１】
放送を受信するための手段と、
時刻を計測するための計時手段と、
受信された前記放送に基づいて、時報音を検出したか否かを判断するための手段と、
前記時報音が検出されると、前記時報音に対応する時報時刻に基づいて、前記計時手段の時刻を修正するための手段と、
前記計時手段の時刻と前記時報時刻とに基づいて、前記計時手段の誤差を算出するための手段と、
算出された前記誤差を記憶するための記憶手段と、
前記時報音が検出されない場合に、前記計時手段の時刻は時報時刻から予め定められた待機時間を経過したか否かを判断するための手段と、
前記計時手段の時刻が前記時報時刻から前記待機持間を経過したと判断されると、前記記憶手段に記憶されている前記誤差を読み出すための手段と、
読み出された前記誤差に基づいて、前記計時手段の時刻を修正するための手段とを含む、データ記録再生装置。
【請求項２】
放送を受信するための手段と、
時刻を計測するための計時手段と、
受信された前記放送に基づいて、時報音を検出したか否かを判断するための手段と、
前記時報音が検出されると、前記時報音に対応する前記時報時刻に基づいて、前記計時手段の時刻を修正するための手段と、
前記計時手段の時刻と前記時報時刻とに基づいて、前記計時手段の誤差を算出するための手段と、
算出された前記誤差を記憶するための記憶手段と、
前記時報音が検出されない場合に、記憶された前記誤差に基づいて、前記計時手段の時刻を修正するための修正手段とを含む、データ記録再生装置。
【請求項３】
前記修正手段は、
前記計時手段の時刻が前記時報時刻から予め定められた待機時間を経過したか否かを判断するための手段と、
前記計時手段の時刻が前記時報時刻から前記待機持間を経過したと判断されると、前記記憶手段に記憶されている前記誤差を読み出すための手段と、
読み出された前記誤差に基づいて、前記計時手段の時刻を修正するための手段とを含む、請求項２に記載のデータ記録再生装置。
【請求項４】
前記記憶手段は、複数の前記誤差を記憶するための手段を含み、
前記修正手段は、記憶された複数の前記誤差のうち、予め定められた範囲に含まれる誤差に基づいて、前記計時手段の前記時刻を修正するための手段を含む、請求項２に記載のデータ記録再生装置。
【発明の詳細な説明】
【０００１】
【発明の属する技術分野】
本発明はデータ記録再生装置に関し、特に内臓された時計の時刻を修正する技術に関する。
【０００２】
【従来の技術】
ＶＴＲ（Ｖｉｄｅｏ  Ｔａｐｅ  Ｒｅｃｏｒｄｅｒ）、ＨＤＤ（Ｈａｒｄ  Ｄｉｓｋ  Ｄｒｉｖｅ）レコーダその他のデータ記録再生装置には、タイマ機能等の実現に使用するために時計が内臓されている。この時計は誤差を発生するため、時刻の修正が利用者により、あるいは、データ記録再生装置が備える自動的に時刻を修正するための修正回路により行なわれていた。この修正回路は、ＮＨＫ（Ｒ）による放送に含まれる時報音を検出し、その時報音を検出したときに時計の時刻を修正する。このような修正回路を備えるデータ記録再生装置によると、その放送を受信するために、時刻のずれに関係なく毎日所定の回数だけ自動的に電源がオンになるため、時刻の修正による電力消費量が無駄となる場合があった。
【０００３】
そこで、このような問題を解決するために、たとえば特開平８−２１２６２１号公報（特許文献１）は、時刻の自動修正の間に消費される電力が少なくなるタイマ装置を開示する。このタイマ装置は、時報放送を受信するための回路と、時計回路と、時計自動修正時に時報から得られる時刻と時計回路から得られる時刻との誤差を検出するための回路と、誤差が検出されると時計回路によって時報が得られるべき時刻より前であって誤差と予め定められた時間との和の時間により決まる時刻より時計自動修正動作を行なう回路とを含む。
【０００４】
特許文献１に開示されたタイマ装置によると、時計回路の時刻の調整は、所定の条件が成立している場合にしか実行されないため、電力の消費を抑制することができる。
【０００５】
【特許文献１】
特開平８−２１２６２１号公報
【０００６】
【発明が解決しようとする課題】
しかしながら、放送の中には、たとえば野球の中継放送等のように、時報音を報知する時刻に時報音を発生しない放送が行なわれる場合がある。そのため、常に、時報音に基づいてデータ記録再生装置の時計を修正することができないという問題があった。
【０００７】
本発明は、上述の問題点を解決するためになされたものであって、その目的は、時報音を発生する放送を受信しない場合でも内臓時計の時刻を修正することができるデータ記録再生装置を提供することである。
【０００８】
【課題を解決するための手段】
この発明のある局面に従うと、データ記録再生装置は、放送を受信するための手段と、時刻を計測するための計時手段と、受信された放送に基づいて、時報音を検出したか否かを判断するための手段と、時報音が検出されると、時報音に対応する時報時刻に基づいて、計時手段の時刻を修正するための手段と、計時手段の時刻と時報時刻とに基づいて、計時手段の誤差を算出するための手段と、算出された誤差を記憶するための記憶手段と、時報音が検出されない場合に、計時手段の時刻は時報時刻から予め定められた待機時間を経過したか否かを判断するための手段と、計時手段の時刻が時報時刻から待機持間を経過したと判断されると、記憶手段に記憶されている誤差を読み出すための手段と、読み出された誤差に基づいて、計時手段の時刻を修正するための手段とを含む。
【０００９】
このような構成を有するデータ記録再生装置によると、時報音が検出されると、計時手段の時刻は時報音に対応する時報時刻となるように修正される。なお、ここで時報時刻とは、毎時００分００秒をいう。計時手段の誤差は、時報時刻と計時手段の時刻とに基づいて算出される。たとえば、時報時刻が１２時００分００秒であるときに、計時手段の時刻が１２時０１分３０秒である場合、誤差は１分３０秒と算出される。あるいは、計時手段の時刻が１１時５８分３０秒である場合、誤差はマイナス１分３０秒と算出される。このようにして算出される誤差は、記憶手段（たとえばハードディスク装置その他のメモリ等）に記憶される。時報音が検出されないとき、計時手段の時刻が時報時刻から所定の待機時間を経過している場合には、記憶手段に記憶されている誤差が読み出される。計時手段の時刻は、その読み出された誤差に基づいて修正される。このようにすると、時報音が検出されない場合でも、データ記録再生装置が内蔵する計測手段の時刻を修正することができる。これにより、時報音を発生する放送を受信しない場合でも内臓時計の時刻を修正することができるデータ記録再生装置を提供することができる。
【００１０】
この発明の他の局面に従うと、データ記録再生装置は、放送を受信するための手段と、時刻を計測するための計時手段と、受信された放送に基づいて、時報音を検出したか否かを判断するための手段と、時報音が検出されると、時報音に対応する時報時刻に基づいて、計時手段の時刻を修正するための手段と、計時手段の時刻と時報時刻とに基づいて、計時手段の誤差を算出するための手段と、算出された誤差を記憶するための記憶手段と、時報音が検出されない場合に、記憶された誤差に基づいて、計時手段の時刻を修正するための修正手段とを含む。
【００１１】
このような構成を有するデータ記録再生装置によると、時報音が検出されると、計時手段の時刻は時報音に対応する時報時刻に基づいて、たとえばその時報時刻となるように修正される。計時手段の誤差は、時報時刻と計時手段の時刻とに基づいて算出される。この誤差は、記憶手段（たとえばハードディスク装置その他のメモリ）に記憶される。時報音が検出されないとき、計時手段の時刻は記憶手段に記憶されている誤差に基づいて、たとえばその誤差が計時手段の時刻に加算されることに修正される。このようにすると、時報音が検出されない場合でも、データ記録再生装置が内蔵する計測手段の時刻を修正することができる。
【００１２】
好ましくは、修正手段は、計時手段の時刻が時報時刻から予め定められた待機時間を経過したか否かを判断するための手段と、計時手段の時刻が時報時刻から待機持間を経過したと判断されると、記憶手段に記憶されている誤差を読み出すための手段と、読み出された誤差に基づいて、計時手段の時刻を修正するための手段とを含む。
【００１３】
このような構成を有するデータ記録再生装置によると、計時手段の時刻が時報時刻から待機持間を経過している場合に計時手段の時刻が修正されるため、必要以上に計時手段の時刻が頻繁に修正されることを防止することができる。
【００１４】
好ましくは、記憶手段は、複数の誤差を記憶するための手段を含む。修正手段は、記憶された複数の誤差のうち、予め定められた範囲に含まれる誤差に基づいて、計時手段の時刻を修正するための手段を含む。
【００１５】
このような構成を有するデータ記録再生装置によると、計時手段の誤差について記憶された複数のデータのうち、予め定められた範囲に含まれる誤差に基づいて、計時手段の時刻が修正される。たとえば、その範囲に含まれる誤差の平均値が算出され、その値が計時手段の時刻の修正に使用される。あるいは、その範囲における最新の値が計時手段の時刻の修正に使用される。このようにすると、計時手段について算出された誤差のデータのうち異常値を除外しつつ、計時手段の時刻を修正することができる。
【００１６】
【発明の実施の形態】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
図１を参照して、本発明の実施の形態に係る時刻修正機能を有するデータ記録再生装置１００の構成について説明する。図１は、データ記録再生装置１００を表わすブロック図である。
【００１８】
このデータ記録再生装置１００は、システム制御回路１１０と、ＯＳＤ（Ｏｎ  Ｓｃｒｅｅｎ  Ｄｉｓｐｌａｙ）画像生成回路１１４と、操作部１２２と、受光部１２４と、計時回路１２６と、表示部１２８と、チューナ１３０と、ＭＰＥＧ（Ｍｏｖｉｎｇ  Ｐｉｃｔｕｒｅ  Ｅｘｐｅｒｔｓ  Ｇｒｏｕｐ）エンコーダ１３２と、ハードディスク装置１４０と、ＭＰＥＧデコーダ１３６と、出力部１３８とを含む。システム制御回路１１０はメモリ１１２を含む。ハードディスク装置１４０は、情報記録ヘッド１４２とハードディスク１４４とを含む。
【００１９】
データ記録再生装置１００は、たとえばＨＤＤレコーダであるが、これに限られない。たとえばＨＤＤを備えるＰＣ（Ｐｅｒｓｏｎａｌ  Ｃｏｍｐｕｔｅｒ）であってもよい。この場合、各部の動作は、システム制御回路１１０からの信号の代わりに、ＣＰＵ（Ｃｅｎｔｒａｌ  Ｐｒｏｃｅｓｓｉｎｇ  Ｕｎｉｔ）からの指令に基づいて制御される。
【００２０】
データ記録再生装置１００は、出力部１３８を介して、テレビ１５０に接続される。なお、データ記録再生装置１００の出力先はテレビ１５０に限られず、たとえば、表示専用モニタであってもよい。
【００２１】
システム制御回路１１０は、後述するように信号の入出力を行ないながら、データ記録再生装置１００の動作を制御する。この動作には、録画予約の設定処理、計時回路１２６の時刻の修正処理、受信される放送データから時報音を検出する処理、各処理により生成されるデータの書き込み処理、あるいは読み出し処理等が含まれる。これらの動作の制御は、たとえばメモリ１１２に予め記憶されたプログラムに基づいて行なわれる。
【００２２】
ＯＳＤ画像生成回路１１４は、操作部１２２あるいは受光部１２４を介して取得したユーザの指示に基づいて、あるいはシステム制御回路１１０において予め定められた条件が成立した場合に、メッセージ画像を表示するための信号を生成する。このメッセージ画像とは、チャネル表示、時刻表示、録画設定画面表示、音量表示その他の画像であって、ハードディスク装置１４０に記録されている画像とは異なる。ＯＳＤ画像生成回路１１４は、このようなメッセージ画像の信号を生成すると、出力部１３８に出力する。この信号が出力されると、その信号が表わすメッセージ画像がテレビ１５０に表示される。
【００２３】
操作部１２２は、ユーザの操作（たとえばボタンの押下）により入力された指示を検出する。操作部１２２は、たとえばデータ記録再生装置１００の前面に設けられた入力ボタンであるが、これに限られない。指示が検出されると、その指示に対応する処理を各部に実行させるための信号が生成される。この処理には、計時回路１２６により表示部１２８に表示される時刻の設定、チューナ１３０による受信チャネルの選択、データの再生、記録その他の処理等が含まれる。生成された信号は、システム制御回路１１０に入力される。
【００２４】
受光部１２４は、リモコン端末（図示しない）から発せられるリモコン信号を受信する。この信号は、システム制御回路１１０に入力される。なお、この信号を発信するリモコン端末の機能は特に限られない。
【００２５】
計時回路１２６は、データ記録再生装置１００における時間を計測する。計時回路１２６は、外部から供給される電源に基づいて作動するが、一時的な停電があっても、予め設定された時間は作動し続けることができる。計時回路１２６は、時刻データをシステム制御回路１１０に出力する。この時刻データは、利用者が認識できるように、表示部１２８において表示される。一方、システム制御回路１１０からの制御信号が計時回路１２６に入力される。この制御信号には、時刻を修正するための信号が含まれる。計時回路１２６の時刻は、この信号に基づいて修正される。たとえば時刻の修正値を表わす信号が入力されると、そのときの計時回路１２６の時刻にその修正値が加算される。
【００２６】
表示部１２８は、データ記録再生装置１００に関する情報を表示する。この情報には、計時回路１２６により計測される時刻、チューナ１３０の受信チャネル、カウンタ、録画／再生モードその他の項目が含まれる。この表示部１２８は、たとえばデータ記録再生装置１００の前面に形成されたインジケータであるが、情報の表示の形式は、これに限られない。
【００２７】
チューナ１３０には、アンテナ１９０が接続される。チューナ１３０は、アナログ放送、デジタル放送等の放送データを受信することができるチューナであればよい。チューナ１３０により受信された電波は、ＭＰＥＧエンコーダ１３２に出力される。チューナ１３０は、システム制御回路１１０からの信号に基づいて受信チャネルを切り換えることができる。
【００２８】
ＭＰＥＧエンコーダ１３２は、チューナ１３０から入力された信号をデジタル信号に変換して、システム制御回路１１０に出力する。
【００２９】
ハードディスク装置１４０は、システム制御回路１１０からの信号に基づいて、ＭＰＥＧ符号化されたデータを情報記録ヘッド１４２によりハードディスク１４４に書き込んだり、ハードディスク１４４に記録されたデータを読み出したりする。なお、ハードディスク装置１４０の記憶容量、あるいはハードディスク１４４の枚数は特に限られない。
【００３０】
ＭＰＥＧデコーダ１３６は、ハードディスク装置１４０から読み出された、ＭＰＥＧ符号化されたデータを復号化して出力部１３８に出力する。
【００３１】
出力部１３８は、ＯＳＤ画像生成回路１１４からの信号およびＭＰＥＧデコーダ１３６からの信号をテレビ１５０に出力する。これにより、テレビ１５０には、ＯＳＤ画像生成回路１１４により生成された画像メッセージと、ハードディスク装置１４０から読み出された映像とが表示される。
【００３２】
図２を参照して、本実施の形態に係るデータ記録再生装置１００における時刻の修正に使用されるデータについて説明する。図２は、そのデータの構造を表わす図である。このデータは、たとえばハードディスク１４４の所定の領域に格納されるが、格納される場所はこれに限られず、メモリ１１２その他の記憶手段に格納されてもよい。
【００３３】
格納されるデータの属性を表わすデータは、フィールド２０２に格納される。時刻の修正に使用されるデータは、フィールド２０４に格納される。図２の例では、フィールド２０４に格納されるデータが時刻の誤差であることを表わすコード「ＴＩＭＥＬＡＧ」が、属性を表わすデータとしてフィールド２０２に格納される。このとき、時刻の誤差は、１分３０秒である。なお、格納されるデータの形式は、図２に示したものに限られない。
【００３４】
図３を参照して、本実施の形態に係るデータ記録再生装置１００を実現するシステム制御回路１１０の制御構造について説明する。図３は、システム制御回路１１０が実行する処理の手順を表わすフローチャートである。この処理は、たとえばハードディスク１４４に予め格納されたプログラムによって実行される。なお、以下の説明では、時報時刻が１２時００分００秒である場合における処理の手順が説明されるが、時報時刻はこれに限られない。たとえば７時００分００秒、あるいは１９時００分００秒であってもよい。
【００３５】
ステップＳ３０２にて、システム制御回路１１０は、計時回路１２６から時刻を取得する。
【００３６】
ステップＳ３０４にて、システム制御回路１１０は、現在の時刻が１１時５８分であるか否かを判断する。現在の時刻が１１時５８分であると判断した場合には（ステップＳ３０４にてＹＥＳ）、処理はステップＳ３０６に移される。もしそうでないと（ステップＳ３０４にてＮＯ）、処理はステップＳ３０２に戻される。
【００３７】
ステップＳ３０６にて、システム制御回路１１０は、ハードディスク装置１４０がスタンバイ状態であるか否かを判断する。なお、ここでスタンバイ状態とは、ハードディスク装置１４０がデータの書き込み、あるいは読み出しを行なっていない状態をいう。ハードディスク装置１４０がスタンバイ状態である場合には（ステップＳ３０６にてＹＥＳ）、処理はステップＳ３０８に移される。もしそうでないと（ステップＳ３０６にてＮＯ）、処理は終了する。
【００３８】
ステップＳ３０８にて、システム制御回路１１０は、ハードディスク１４４から録画の予約情報を取得する。すなわち、システム制御回路１１０は、情報記録ヘッド１４２に所定の読み出し動作を実行させるための信号をハードディスク装置１４０に出力する。ハードディスク装置１４０がその信号を受信すると、情報記録ヘッド１４２は、ハードディスク１４４の所定の領域まで移動し、その領域に格納されている予約情報を表わすデータを読み出す。
【００３９】
ステップＳ３１０にて、システム制御回路１１０は、取得した予約情報に基づいて、タイマ予約があるか否かを判断する。たとえば、その予約情報にタイマ予約を表わすデータ（録画日時等）が含まれている場合には、タイマ予約があると判断される。タイマ予約があると判断した場合には（ステップＳ３１０にてＹＥＳ）、処理は終了する。もしそうでないと（ステップＳ３１０にてＮＯ）、処理はＳ３１２に移される。
【００４０】
ステップＳ３１２にて、システム制御回路１１０は、所定の制御信号を出力して、チューナ１３０の受信チャネルをＮＨＫ（Ｒ）放送の教育チャネルに設定する。
【００４１】
ステップＳ３１４にて、システム制御回路１１０は、チューナ１３０を介して教育チャネルの放送を受信する。
【００４２】
ステップＳ３１６にて、システム制御回路１１０は、計時回路１２６から現在の時刻を取得する。
【００４３】
ステップＳ３１８にて、システム制御回路１１０は、受信チャネルの放送から１２時の時報を検出したか否かを判断する。１２時の時報を検出したと判断すると（ステップＳ３１８にてＹＥＳ）、処理はステップＳ３２０に移される。もしそうでないと（ステップＳ３１８にてＮＯ）、処理はステップＳ３３０に移される。
【００４４】
ステップＳ３２０にて、システム制御回路１１０は、計時回路１２６の時刻を１２時に修正する。
【００４５】
ステップＳ３２２にて、システム制御回路１１０は、計時回路１２６の誤差を算出する。この誤差は、ステップＳ３１６にて取得された時刻とＳ３１８にて時報が検出された時刻との差として算出される。
【００４６】
ステップＳ３２４にて、システム制御回路１１０は、その誤差のデータをハードディスク１４４の所定の領域に書き込む。たとえば、この領域の数が１レコード分であれば、既に記録されているデータに上書きされる。複数の領域があれば、空いている領域に記録される。
【００４７】
ステップＳ３３０にて、システム制御回路１１０は、計時回路１２６の時刻が１２時２分を経過したか否かを判断する。なお、１２時２分は、時刻の修正に対して２分間の許容時間が加味された時刻であるが、この時刻に限られない。計時回路１２６の時刻が１２時２分を経過したと判断した場合には（ステップＳ３３０にてＹＥＳ）、処理はステップＳ３３２に移される。もしそうでないと（ステップＳ３３０にてＮＯ）、処理はステップＳ３１６に戻される。
【００４８】
ステップＳ３３２にて、システム制御回路１１０は、ハードディスク１４４の所定の領域に格納されている誤差のデータを読み出す。すなわち、ステップＳ３０２における動作と同様に、システム制御回路１１０は、情報記録ヘッド１４２に所定の読み出し動作を実行させるための信号をハードディスク装置１４０に出力する。情報記録ヘッド１４２は、その信号に基づいて、ハードディスク１４４の所定の領域まで移動し、その領域に格納されている誤差のデータを読み出す。
【００４９】
ステップＳ３３４にて、システム制御回路１１０は、その誤差のデータだけ計時回路１２６の時刻を修正する。この修正により、計時回路１２６の時刻データが書き換えられる。
【００５０】
以上のような構造およびフローチャートに基づく本実施の形態に係る時刻修正機能を有するデータ記録再生装置１００の動作について説明する。なお、データ記録再生装置１００は、たとえばＨＤＤレコーダであるが、これらに限られない。
【００５１】
データ記録再生装置１００の電源ケーブル（図示しない）がコンセントに接続されているとき計時回路１２６の時刻が取得される（ステップＳ３０２）。その時刻が１１時５８分であり（ステップＳ３０４にてＹＥＳ）、さらにハードディスク装置１４０がスタンバイ状態である場合には（ステップＳ３０６にてＹＥＳ）、ハードディスク１４４の所定の領域から予約情報のデータが読み出される（ステップＳ３０８）。
【００５２】
１２時前後にタイマ予約がない場合には（ステップＳ３１０にてＹＥＳ）、チューナ１３０の受信チャネルはＮＨＫ（Ｒ）の教育チャネルに自動的に設定される（ステップＳ３１２）。その後、データ記録再生装置１００はそのチャネルの放送を受信しつつ（ステップＳ３１４）、計時回路１２６から時刻が取得される（ステップＳ３１６）。
【００５３】
ＮＨＫ（Ｒ）の教育チャネルの放送が野球中継等の特別放送のため、通常放送される時報音が報知されない場合には（ステップＳ３１８にてＮＯ）、計時回路１２６の時刻が１２時２分を経過すると（ステップＳ３３０にてＹＥＳ）、ハードディスク１４４の所定の領域に記憶されたデータが読み出される（ステップＳ３３２）。その結果、計時回路１２６の時刻は修正され、１２時００分に設定される。
【００５４】
以上のようにして、本実施の形態に係る時刻修正機能を有するデータ記録再生装置１００によると、ハードディスク１４４の所定の領域（フィールド２０２）にデータが記憶されている。そのため、１２時になったときに時報がＮＨＫ（Ｒ）の教育放送から検出されない場合でも、フィールド２０２に予め記憶された誤差のデータに基づいて、計時回路１２６の時刻を修正することができる。これにより、チューナ１３０を介して受信している番組の中で所定の時報が報知されない場合でも、計時回路１２６の時刻を適切に修正することができる。
【００５５】
＜変形例＞
以下、本発明の実施の形態の変形例について説明する。なお、本変形例に係るデータ記録再生装置の構成は、前述の実施の形態と同じであるため、ここでは、その説明は繰り返さない。
【００５６】
前述の実施の形態においては、時刻の修正のためのデータはハードディスク装置１４０に１レコードだけ記憶されていた。これに代えて、たとえば複数のレコードを記憶しておき、そのデータに基づいて平均値を算出して、その平均値に基づいて計時回路１２６の時刻を修正してもよい。このようにすると、検出した誤差のばらつきを抑制しつつ計時回路１２６の時刻を適切に修正することができる。あるいは、複数のレコードのうち、最大値と最小値とを除外した残りのレコードについて、上記の平均値を算出してもよい。このようにすると、算出される平均値が異常値の影響を受けにくくなるため、より適切な修正を行なうことができる。
【００５７】
図４を参照して、本変形例に係るデータ記録再生装置に使用されるデータについて説明する。図４は、ハードディスク１４４の所定の領域に格納されるデータ構造を表わす図である。
【００５８】
図４に示すように、格納されるデータのレコード番号は、フィールド４０２に格納される。この番号は、データの件数を表わし、自動的に割り当てられる。図４の例では、計時回路１２６の時刻の誤差について、３０件のレコードが格納される。なお、この番号の大きさ、すなわち格納されるデータの件数は特に限られない。
【００５９】
計時回路１２６の誤差を表わすデータは、フィールド４０４に格納される。この誤差は、時刻修正処理が実行されるごとに算出される。たとえば１日に３回の時刻修正処理が実行される場合、３レコードが新たに追加されることになる。この場合、レコードの件数がテーブルの上限値に到達した場合には、１件目のレコードを上書きしてもよい。このようにすると、古いレコードが逐次削除されることになり、常に最新のデータを格納しておくことができる。したがって、計時回路１２６の時刻の修正が古いデータによって影響を受けることを防止することができる。
【００６０】
なお、本発明の実施の形態およびその変形例の説明においては、時刻修正機能を有するデータ記録再生装置として、ハードディスク装置に基づく説明を行なってきたが、これらの装置に限られない。本発明は、たとえば、ビデオ内臓テレビ、ＤＶＤ（Ｄｉｇｉｔａｌ  Ｖｅｒｓａｔｉｌｅ  Ｄｉｓｋ）装置等にも適用することができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態に係るデータ記録再生装置の構成を表わすブロック図である。
【図２】図１に示すデータ記録再生装置のハードディスクに格納されるデータの構造を表わす図（その１）である。
【図３】図１に示すデータ記録再生装置のシステム制御回路が実行する処理の手順を表わすフローチャートである。
【図４】図１に示すデータ記録再生装置のハードディスクに格納されるデータの構造を表わす図（その２）である。
【符号の説明】
１００  データ記録再生装置、１１０  システム制御回路、１１２  メモリ、１１４  ＯＳＤ画像生成回路、１２２  操作部、１２４  受光部、１２６  計時回路、１２８  表示部、１３０  チューナ、１３２  ＭＰＥＧエンコーダ、１３６  ＭＰＥＧデコーダ、１３８  出力部、１４０  ハードディスク装置、１４２情報記録ヘッド、１４４  ハードディスク、１５０  テレビ、１９０  アンテナ、２０２，２０４，４０２，４０４  フィールド。
【図１】
2005043145.tif 000003
【図２】
2005043145.tif 000004
【図３】
2005043145.tif 000005
【図４】
2005043145.tif 000006